(57)【要約】【課題】駆動装置による移動台の移動不良を防止する。【解決手段】移動レール２１上に移動台２２を移動自在に設け、移動台２２上には試験車両７の後輪９が載置されるローラ２４が設けられるとともに、ローラ２４と連結された動力計２６が設けられ、移動台２２に螺合された移動用送りねじ２８を移動モータ２７に連結し、さらに移動レール２１上に異物の侵入を防止するための巻取式カバー２９を被せる。【選択図】  図１
2004245757.tif 000002
【特許請求の範囲】
【請求項１】
移動レール上に移動自在に設けられた移動台と、移動台上に設けられ、試験車両の車輪が載置されるローラと、移動台上に設けられ、ローラと連結された動力計と、移動台を駆動する駆動手段とを備えたシャシーダイナモメータにおいて、移動レール上に異物の侵入を防止するためのカバーを設けたことを特徴とするシャシーダイナモメータ。
【請求項２】
上記カバーの浮き上がりを防止するためのカバー押さえを設けたことを特徴とする請求項１記載のシャシーダイナモメータ。
【請求項３】
移動レール上に移動自在に設けられた移動台と、移動台上に設けられ、試験車両の車輪が載置されるローラと、移動台上に設けられ、ローラと連結された動力計と、移動台を駆動する駆動手段とを備えたシャシーダイナモメータにおいて、移動レールの上面の形状を、幅方向の中央部が両端部より突出した形状としたことを特徴とするシャシーダイナモメータ。
【発明の詳細な説明】
【０００１】
【発明の属する技術分野】
この発明は、１軸ローラオーバハング型シャシーダイナモメータなどのシャシーダイナモメータに関し、特にその移動レール上への水、埃等の異物の侵入を防止するようにしたシャシーダイナモメータに関するものである。
【０００２】
【従来の技術】
図５は特許文献１に記載された従来のシャシーダイナモメータの平面図を示し、１はピット内に設けられた移動台であり、図示しない車輪を介して複数の移動レール２上に載置されており、移動台１には図示しない駆動装置が連結され、移動台１はこの駆動装置の駆動により移動レール２上を移動する。移動台１上には軸受台４を介して一対のローラ３が回転自在に支持されており、ローラ３には同じく移動台１上に設置された動力計５が連結されている。又、移動台１上の移動方向前後には移動台１を移動レール２に対して固定するための固定装置６が設けられている。
【０００３】
図６は特許文献２に記載された従来の他のシャシーダイナモメータの概略側面図を示し、車両７の前輪８と後輪９をそれぞれ動力計１０，１１に連結されたローラ１２，１３上に載置する。前輪８側の動力計１０側は、ピット１４内の底部上に設けられた基台１５上に固定台１６を介して設けられ、後輪９側の動力計１１側は、基台１５上に敷設した複数の移動レール１７上を移動する移動台１８上に設けられる。そして、試験車両７のホイールベースに合うように後輪９側の動力計１１側を移動台１８ごと移動し、後輪９がローラ１３上に載るようにして走行試験を行う。
【０００４】
【特許文献１】
実公平７−１８９９０号公報
【０００５】
【特許文献２】
登録実用新案第２５６８５５５号公報
【０００６】
【発明が解決しようとする課題】
しかしながら、上記したようなシャシーダイナモメータ、特に半屋外仕様や耐環境仕様のシャシーダイナモメータにおいては、動力計が設置されるピット内では、試験車両からのエアコンのドレイン水や砂埃等が移動レール２，１７上に堆積し、移動不良が発生した。即ち、移動台１，１８を移動するための移動モータのトルクリミッタのすべり現象や移動モータと移動台１，１８を連結する移動用送りねじの折損等が生じた。
【０００７】
この発明は上記のような課題を解決するために成されたものであり、駆動装置による移動台の移動不良、即ち移動モータのトルクリミッタのすべり現象や移動用送りねじの折損等を防止することができるシャシーダイナモメータを得ることを目的とする。
【０００８】
【課題を解決するための手段】
この発明の請求項１に係るシャシーダイナモメータは、移動レール上に移動自在に設けられた移動台と、移動台上に設けられ、試験車両の車輪が載置されるローラと、移動台上に設けられ、ローラと連結された動力計と、移動台を駆動する駆動手段とを備えたシャシーダイナモメータにおいて、移動レール上に異物の侵入を防止するためのカバーを設けたものである。
【０００９】
この発明の請求項２に係るシャシーダイナモメータは、上記カバーの浮き上がりを防止するためのカバー押さえを設けたものである。
【００１０】
この発明の請求項３に係るシャシーダイナモメータは、移動レール上に移動自在に設けられた移動台と、移動台上に設けられ、試験車両の車輪が載置されるローラと、移動台上に設けられ、ローラと連結された動力計と、移動台を駆動する駆動手段とを備えたシャシーダイナモメータにおいて、移動レールの上面の形状を、幅方向の中央部が両端部より突出した形状としたものである。
【００１１】
【発明の実施の形態】
実施形態１
以下、この発明の実施の形態を図面とともに説明する。図１（ａ），（ｂ）はこの発明の実施形態１によるシャシーダイナモメータの概略構成を示す正面図及び平面図であり、試験室１９のピット２０内の底面上には複数の移動レール２１が設けられ、移動レール２１上には移動台２２が移動自在に設けられている。移動台２２上には軸受台２３を介して一対のローラ２４が回転自在に設けられ、各ローラ２４上には試験車両７の後輪９が載置される。試験車両７の前輪８は、ピットカバー２５上に載置される。又、ローラ２４と連結された動力計２６も移動台２２上に載置される。又、ピット２０の底面上には移動モータ２７が設けられ、移動モータ２７には移動用送りねじ２８の一端が連結され、移動用送りねじ２８は移動台２２と螺合している。さらに、移動レール２１上には、移動台２２が位置する部分を除いて、巻取式カバー２９が被せられる。又、なお、矢印３６は試験車両７の前方からの送風を示し、矢印３０は動力計２６の冷却ファンからの排気風を示し、矢印３１はピット２０の底面より下方において上昇する循環空気を示す。
【００１２】
上記構成において、移動モータ２７の駆動により移動用送りねじ２８が回転し、移動台２２は移動レール２１上を移動する。
【００１３】
実施形態１においては、移動レール２１上を巻取式カバー２９により覆ったので、試験車両７からのエアコンのドレイン水や砂埃等の異物が移動レール２１上に落下してもその侵入、堆積を防止することができる。このため、移動台２２の移動は円滑に行われ、移動モータ２７のトルクリミッタのすべり現象や移動用送りねじ２８の折損等を防止することができる。
【００１４】
実施形態２
実施形態１においては、移動レール２１上に巻取式カバー２９を被せることにより移動レール２１への異物の侵入、堆積を防止したが、巻取式カバー２９には動力計２６の冷却ファンからの排気風３０や循環空気３１が加わるため、図２に示すように巻取式カバー２９が移動レール２１から浮き上がってしまうことがあり、この浮き上がった部分から水、埃等の異物が移動レール２１上に侵入、堆積することがあった。そこで、実施形態２においては、図３（ａ），（ｂ）に示すように、移動レール２１上に被せた巻取式カバー２９の幅方向両端部を押さえる鈎形のカバー押さえ３２をピット２０の底面に取付ねじ３３により取り付ける。なお、実施形態２では、巻取式カバー２９の幅は移動レール２１の幅と同一としている。
【００１５】
実施形態２においては、カバー押さえ３２により巻取式カバー２９の幅方向両端部を押さえたので、巻取式カバー２９が排気風３０や循環空気３１により浮き上がることはなくなり、移動レール２１上への異物の侵入や堆積を確実に防止することができ、移動台２２の移動不良を防止することができる。
【００１６】
実施形態３
図４（ａ），（ｂ）は実施形態３による移動レール部分の斜視図及び従来の移動レール部分の斜視図を示し、実施形態３では移動レール３４の上面形状を幅方向中央部を両端部より突出させた形状としており、移動台３５の下面形状は幅方向中央部が両端部より凹んだ形状となっている。なお、移動レール３４の上面は皮膜処理をしている。
【００１７】
従来では、移動レール２１の上面形状を幅方向中央部を両端部より凹ませているため、移動台２２の下面形状は幅方向中央部が両端部より突出した形状となり、移動レール２１の上面の特に凹んだ部分に侵入、堆積した異物は移動台２２の移動によっても簡単には除去されず、移動不良が生じ、また移動レール２１の上面への潤滑油の供給は不可欠であった。しかし、実施形態３では、移動レール３４の上面の中央部が突出し、移動台３５の下面の中央部が凹んだ形状となっており、移動レール２１のの上面に侵入、堆積した異物は移動台３５の移動の際のはき出し効果により大半が除去される。このため、移動台３５の移動不良を防止することができ、また潤滑油も不要とすることができる。
【００１８】
【発明の効果】
以上のようにこの発明の請求項１によれば、移動レール上に異物の侵入を防止するためのカバーを設けており、移動台の移動不良は生じず、駆動装置における移動モータのトルクリミッタのすべり現象や移動用送りねじの折損等を防止することができる。
【００１９】
請求項２によれば、上記カバーの浮き上がりを防止するためのカバー押さえを設けており、カバーが排気風や循環空気により浮き上がることがなくなり、移動レール上への異物の侵入を確実に防止することができ、移動台の移動不良を確実に防止することができる。
【００２０】
請求項３によれば、移動レールの上面形状を幅方向の中央部が両端部より突出した形状としており、移動レールの上面に侵入堆積した異物は移動台の移動の際に容易に除去される。このため、移動台の移動不良を防止することができ、また移動レールの上面への潤滑油の供給も不要とすることができる。
【図面の簡単な説明】
【図１】この発明の実施形態１によるシャシーダイナモメータの概略正面図及び概略平面図である。
【図２】実施形態１における巻取式カバーの浮き上がりを説明する斜視図である。
【図３】実施形態２による移動レール部分の平面図及びそのＸ−Ｘ線縦断側面図である。
【図４】実施形態３による移動レール部分の斜視図及び従来の移動レール部分の斜視図である。
【図５】特許文献１に記載されたシャシーダイナモメータの平面図である。
【図６】特許文献２に記載されたシャシーダイナモメータの概略側面図である。
【符号の説明】
７…試験車両
９…後輪
２０…ピット
２１，３４…移動レール
２２，３５…移動台
２６…動力計
２７…移動モータ
２８…移動用送りねじ
２９…巻取式カバー
３２…カバー押さえ
３３…取付ねじ
【図１】
2004245757.tif 000003
【図２】
2004245757.tif 000004
【図３】
2004245757.tif 000005
【図４】
2004245757.tif 000006
【図５】
2004245757.tif 000007
【図６】
2004245757.tif 000008